(57)【要約】【課題】水口に取付けられた水抜栓をワンタッチで開閉でき、作業性を向上した水抜装置を提供する。【解決手段】排水流路を有する水口体１０と、水口体１０に取付けられる水抜栓５０を備え、水口体１０には、水抜栓５０の取付部７１を誘導する第１のガイド部２１と、第１のガイド部２１に隣接し、取付部７１を誘導する第２のガイド部２２と、第２のガイド部２２に隣接し、取付部７１を周方向に誘導する第３のガイド部２３が形成され、取付部７１は、隣接するガイド部間を移動可能であると共に、第２のガイド部２２の一部及び第３のガイド部２３の一部に係止され、水抜栓５０は、取付部７１が第３のガイド部２３に誘導された際に閉状態をロックし、取付部７１が第２のガイド部２２に誘導された際に、閉状態と開状態とを切り替え、取付部７１が第１のガイド部２１に誘導された際に水口体１０から取外し可能となる。【選択図】図１
2010084845.tif 000002
【特許請求の範囲】
【請求項１】
機器内から液体を外部に排出させる水抜装置であって、
前記機器の配管に接続され、当該配管を流通する液体を外部に排出する排水流路を有する水口体と、
前記水口体に着脱可能に取付けられる水抜栓と、
を備え、
前記水抜栓は、前記排水流路に挿脱可能に挿入される挿入部を有する栓本体と、当該栓本体に配設され、当該栓本体を前記水口体に着脱可能に取付ける取付部と、を有し、
前記水口体の外周面には、前記取付部を前記挿脱方向に誘導する第１のガイド部と、前記第１のガイド部の一方の周方向側に隣接し、当該取付部を前記挿脱方向に誘導すると共に、前記第１のガイド部の前記挿入方向先端よりも当該挿入方向側に延びた第２のガイド部と、前記第１のガイド部よりも前記挿入方向側に配設されると共に、前記第２のガイド部の前記挿入方向側且つ他方の周方向側に隣接し、前記取付部を前記周方向に誘導する第３のガイド部と、を有するガイド領域が形成されてなり、
前記取付部は、前記隣接するガイド部間を移動可能であると共に、前記第２のガイド部の一部及び第３のガイド部の一部に係止され、
前記水抜栓は、前記取付部が前記第３のガイド部に誘導された際に閉状態をロックし、前記取付部が第２のガイド部に誘導された際に、前記閉状態と開状態とを切り替え、前記取付部が第１のガイド部に誘導された際に前記水口体から取外し可能となる水抜装置。
【請求項２】
前記第２のガイド部及び第３のガイド部は、前記挿脱方向両端に、前記取付部を係止する係止部が各々形成されてなる請求項１記載の水抜装置。
【請求項３】
前記挿入部は、前記排水流路を画定する内周面に着脱可能に密着し、当該内周面に密着した際に前記水抜栓を閉状態にし、当該密着を解除した際に前記水抜栓を開状態とする密着部と、中空形状を有し、前記水抜栓が開状態となった際に、前記液体を当該中空部分を介して外部に排出する排水部と、を有してなり、
前記排水部の外周面は、前記排水流路を画定する内周面に略接触し、当該排水部の外周面の一部に、複数の環状溝を互いに間隔をおいて形成してなる請求項１または請求項２記載の水抜装置。
【請求項４】
前記取付部は、前記水抜栓が前記水口体の周方向に所定角度で回転することにより、前記隣接するガイド部間を移動する請求項１ないし請求項３のいずれか一項に記載の水抜装置。
【請求項５】
前記所定角度は、９０度以下である請求項４記載の水抜装置。
【請求項６】
前記隣接するガイド部間には、前記取付部に所定以上の移動力が付与された際に、当該取付部の移動を可能にする堰部が形成されてなる請求項１ないし請求項５のいずれか一項に記載の水抜装置。
【請求項７】
前記取付部を複数有し、前記水口体の外周面に、前記複数の取付部の各々に対応する前記ガイド領域を形成してなる請求項１ないし請求項６のいずれか一項に記載の水抜装置。
【発明の詳細な説明】
【技術分野】
【０００１】
本発明は、各種機器内から湯水等の液体を外部に排出させる水抜装置に関する。
【背景技術】
【０００２】
従来、例えば、床暖房機器や温水器等のように、機器内を湯水が循環する、あるいは機器内に湯水が残留または貯留される各種機器では、当該機器内に存在している湯水を外部に排出させる目的で、通常、水抜装置が配設されている。このような水抜装置としては、例えば、機器の配管に設けられた水口（排水口）の内周面に雌螺子を形成し、水抜栓の外周面に当該雌螺子に螺合する雄螺子を形成することにより、前記水抜栓を水口に螺子止めする構成のものが使用されている。（例えば、特許文献１参照）。
【０００３】
また、機器の配管に水抜栓を水密に挿入する開口部（水口）を形成し、前記水抜栓の頭部を押えて固定する水抜栓ロックと、前記開口部の外周の全周または一部に凸部を突設し、前記水抜栓ロックには、前記水抜栓の頭部と前記凸部を挟み込み固定する孔部または凹部を有してなる水抜装置が紹介されている。（例えば、特許文献２参照）。
【０００４】
そしてまた、水抜用筒体（水口）の内面に雌螺子を設けると共に、当該内面下部に軸芯方向の水路溝を刻設し、前記水抜用筒体に前記雌螺子に螺合される雄螺子を具備した栓体を設け、当該栓体は、前記雄螺子の基端側に前記筒体の端面に当接される輪状端面の形成された把手部を設けると共に、当該雄螺子の先端側には前記雌螺子に密状に内嵌される円周面を具備した案内部を設け、前記輪状端面は、筒体の端面とパッキンを介して当接されてなる魚釣用保冷箱の水抜装置も紹介されている。（例えば、特許文献３参照）。
【特許文献１】特開２００６−１６８１３号公報
【特許文献２】特開２００５−１７１５４２号公報
【特許文献３】実開平８−６３３号公報
【発明の開示】
【発明が解決しようとする課題】
【０００５】
しかしながら、従来の水抜装置は、水抜栓（栓体）を水口に対し螺子の螺合により取付けているため、水抜栓を開閉する際に、当該水抜栓を複数周回転させる必要があり、水抜栓の開閉に手間がかかる。また、水抜栓の水口に螺合される側とは異なる端部に、例えばホース等が取付けられている場合、水抜栓を複数周回転させると、ホースが捩れ、作業性が低下する虞もある。
【０００６】
本発明は、このような事情に鑑みなされたものであり、水口に取付けられた水抜栓を複数周回転させることなくワンタッチで開閉することができ、作業性を向上することが可能な水抜装置を提供することを目的とする。
【課題を解決するための手段】
【０００７】
この目的を達成するため本発明は、機器内から液体を外部に排出させる水抜装置であって、前記機器の配管に接続され、当該配管を流通する液体を外部に排出する排水流路を有する水口体と、前記水口体に着脱可能に取付けられる水抜栓と、を備え、前記水抜栓は、前記排水流路に挿脱可能に挿入される挿入部を有する栓本体と、当該栓本体に配設され、当該栓本体を前記水口体に着脱可能に取付ける取付部と、を有し、前記水口体の外周面には、前記取付部を前記挿脱方向に誘導する第１のガイド部と、前記第１のガイド部の一方の周方向側に隣接し、当該取付部を前記挿脱方向に誘導すると共に、前記第１のガイド部の前記挿入方向先端よりも当該挿入方向側に延びた第２のガイド部と、前記第１のガイド部よりも前記挿入方向側に配設されると共に、前記第２のガイド部の前記挿入方向側且つ他方の周方向側に隣接し、前記取付部を前記周方向に誘導する第３のガイド部と、を有するガイド領域が形成されてなり、前記取付部は、前記隣接するガイド部間を移動可能であると共に、前記第２のガイド部の一部及び第３のガイド部の一部に係止され、前記水抜栓は、前記取付部が前記第３のガイド部に誘導された際に閉状態をロックし、前記取付部が第２のガイド部に誘導された際に、前記閉状態と開状態とを切り替え、前記取付部が第１のガイド部に誘導された際に前記水口体から取外し可能となる水抜装置を提供するものである。
【０００８】
この構成を備えた水抜装置は、前記取付部が前記第３のガイド部に誘導された際に閉状態をロックし、前記取付部が第２のガイド部に誘導された際に、前記閉状態と開状態とを切り替え、前記取付部が第１のガイド部に誘導された際に前記水口体から取外し可能となる構成を有しているため、水抜栓をワンタッチで開閉することができる。すなわち、螺子による螺合を利用して水抜栓の開閉を行う、あるいは螺子による螺合を利用して水口体から水抜栓を取外す従来の水抜装置のように、水抜栓を水口体の周方向に複数周回転させる必要がない。したがって、作業性を向上することができる。
【０００９】
また、本発明にかかる水抜装置は、前記第２のガイド部の前記挿脱方向両端に、前記取付部を係止する係止部を各々形成し、前記第３ガイド部の前記挿脱方向両端に、前記取付部を係止する係止部を各々形成することができる。このようにすることで、前記水抜栓が閉状態あるいは開状態に位置している際に、当該水抜栓が水口体から不意に外れることを防止することができる。
【００１０】
そしてまた、前記挿入部は、前記排水流路を画定する内周面に着脱可能に密着し、当該内周面に密着した際に前記水抜栓を閉状態にし、当該密着を解除した際に前記水抜栓を開状態とする密着部と、中空形状を有し、前記水抜栓が開状態となった際に、前記液体を当該中空部分を介して外部に排出する排水部と、を有してなり、前記排水部の外周面は、前記排水流路を画定する内周面に略接触し、当該排水部の外周面の一部に、複数の環状溝を互いに間隔をおいて形成した構成とすることができる。この構成により、前記排水部の外周面の一部には、前記環状溝と、当該環状溝を形成する環状凸部との繰返しによって形成される、いわゆる「フィン形状」が設けられることになる。このように構成することで、機器内から排出された液体が、前記排水流路を画定する内周面と、当該排水部の外周面との間に進入しようとした際に、当該液体の進入は、前記フィン形状によって阻止されることになる。したがって、前記排水流路を画定する内周面と、当該排水部の外周面との間にＯリング等のシール部材を配設することなく、前記機器内から排出された液体を、前記排水部の中空部分に集中して流すことができる。
【００１１】
さらにまた、本発明にかかる水抜装置は、前記水抜栓を前記水口体の周方向に所定角度で回転することで、前記取付部が前記隣接するガイド部間を移動するよう構成することができる。このようにすることで、水抜栓を、水口体の周方向に所定角度回転させるという簡単な操作で、当該水抜栓の開閉を行うことができる。また、この構成の場合、前記所定角度は、第１のガイド部、第２のガイド部、第３のガイド部の、前記周方向の長さ（幅）によって決定されるが、前記所定角度は、例えば、９０度以下とすることができる。
【００１２】
また、本発明にかかる水抜装置は、前記隣接するガイド部間に、前記取付部に所定以上の移動力が付与された際に当該取付部の移動を可能にする堰部を形成することができる。このように構成することで、例えば、取付部は、第２のガイド部から第３のガイド部へ移動させるための力が付与された際に、第２のガイド部から第３のガイド部へ移動し、第３のガイド部から第２のガイド部へ移動させるための力が付与された際に、第３のガイド部から第２のガイド部へ移動することになるため、前記利点に加え、水抜栓の開閉が不意に行われることをさらに確実に防止することができる。また、同様に、取付部は、第１のガイド部から第２のガイド部へ移動させるための力が付与された際に、第１のガイド部から第２のガイド部へ移動し、第２のガイド部から第１のガイド部へ移動させるための力が付与された際に、第２のガイド部から第１のガイド部へ移動することになるため、前記利点に加え、水抜栓が不意に取外し可能位置に位置することをさらに確実に防止することができる。
【００１３】
そしてまた、本発明にかかる水抜装置は、前記取付部を複数有し、前記水口体の外周面に、前記複数の取付部の各々に対応する前記ガイド領域を形成した構成を備えていてもよい。このようにすることで、前記水口体に水抜栓をより確実に安定した状態で取付けることができる。
【発明の効果】
【００１４】
本発明にかかる水抜装置は、前記取付部が前記第３のガイド部に誘導された際に閉状態をロックし、前記取付部が第２のガイド部に誘導された際に、前記閉状態と開状態とを切り替え、前記取付部が第１のガイド部に誘導された際に前記水口体から取外し可能となるため、水抜栓をワンタッチで開閉することができ、作業性を向上することができる。
【発明を実施するための最良の形態】
【００１５】
次に、本発明の好適な実施の形態にかかる水抜装置について図面を参照して説明する。なお、以下に記載される実施の形態は、本発明を説明するための例示であり、本発明をこれらの実施の形態にのみ限定するものではない。したがって、本発明は、その要旨を逸脱しない限り、様々な形態で実施することができる。
【００１６】
図１は、本発明の水抜装置の外観を示す側面図であり、前記水抜装置の構成要素である水抜栓が閉状態である場合を示す図、図２は、図１に示す水抜装置の底面図、図３は、図２に示すIII−III線に沿った断面図の上下を逆にして示す図、図４は、本発明の水抜装置の外観を示す側面図であり、前記水抜装置の構成要素である水抜栓が開状態である場合を示す図、図５は、図４に示す水抜装置の底面図、図６は、図５に示すVI−VI線に沿った断面図の上下を逆にして示す図、図７は、図６に示す水抜装置の一部を拡大して示す断面図、図８は、本発明の水抜装置の外観を示す側面図であり、前記水抜装置の構成要素である水抜栓が取外し可能位置にある場合を示す図、図９は、図８に示す水抜装置の底面図、図１０は、図９に示すＸ−Ｘ線に沿った断面図の上下を逆にして示す図、図１１は、本発明の水抜装置の外観を示す側面図であり、前記水抜装置の構成要素である水抜栓が取外される直前の状態を示す図、図１２は、図１１に示す水抜装置の底面図、図１３は、図１２に示すXIII−XIII線に沿った断面図、図１４は、図１１に示す水抜装置の一部を拡大して示す側面図である。なお、前記各図では、説明を判り易くするため、各部材の厚さやサイズ、拡大・縮小率等は、実際のものとは一致させずに記載した。
【００１７】
図１〜図１４に示すように、本実施の形態にかかる水抜装置１は、図示しない機器の配管に接続される水口体１０と、水口体１０に着脱可能に取付けられる水抜栓５０と、を備えている。
【００１８】
水口体１０は、中空の管からなる水口本体１１と、水口本体１１から分岐された中空の分岐部１２を有しており、水口本体１１の中空部分と、分岐部１２の中空部分とによって、液体を外部に排出する排水流路を構成している。水口本体１１の上流側は、前記図示しない機器の配管に接続される接続部１４となっており、この接続部１４の下流側には、接続用のフランジ１５が形成されている。
【００１９】
分岐部１２は、外観が略円筒形からなり、その中空部分が水口本体１１の中空部分と連通し、後に詳述する水抜栓５０の挿入部５１が着脱可能に挿入される挿入孔１３となっている。この挿入孔１３は、特に図１３等に示すように、水口本体１１側（基端側）に形成された小径孔１６と、小径孔１６よりも先端側に形成され且つ小径孔１６よりも大きな径を有する大径孔１７から構成されている。小径孔１６は、後に詳述する挿入部５１の密着部５２が挿入可能となっており、小径孔１６に密着部５２が挿入された際に、小径孔１６を画定している内周面１８と密着部５２の外周面との間は、密着部５２の構成要素であるＯリング５３によって水密に保持されるようになっている。大径孔１７は、後に詳述する挿入部５１の排水部５４を挿入可能となっており、大径孔１７に排水部５４が挿入された際に、排水部５４の外周面は、大径孔１７を画定している内周面１９に接触した状態あるいはほぼ接触している状態となっている。
【００２０】
分岐部１２の外周面には、特に図１４等に示すように、分岐部１２の先端（水口本体１１から離れた端：以下、こちら側を「先端側」と記す）から分岐部１２の基端（水口本体１１に近い端：こちら側を「基端側」と記す）に向けて、分岐部１２の略中央位置付近まで延びた第１のガイド部２１が形成されている。また、分岐部１２の外周面には、第１のガイド部２１の一方の周方向（図１４でいう反時計回り方向）側に隣接した状態で、先端側が第１のガイド部２１の略中央付近に位置し、基端側が第１のガイド部２１の基端よりも基端側に延びた第２のガイド部２２が形成されている。さらにまた、分岐部１２の外周面には、第１のガイド部２１の基端よりも基端側に配設されると共に、第２のガイド部２２の基端側且つ他方の周方向（図１４でいう時計回り方向）側に隣接した状態で、他方の周方向側に延びる第３のガイド部２３が形成されている。なお、第２のガイド部２２の基端と、第３のガイド部２３の基端は、同一円周上に位置している。
【００２１】
第１のガイド部２１、第２のガイド部２２及び第３のガイド部２３は、凹部から形成されており、第１のガイド部２１及び第２のガイド部２２は、後に詳述する水抜栓５０の取付部７１を水抜栓５０の挿脱方向に誘導し、第３のガイド部２３は、取付部７１を分岐部１２の周方向に誘導する。そして、取付部７１は、第１のガイド部２１と第２のガイド部２２との間を移動可能であり、第２のガイド部２２と第３のガイド部２３との間を移動可能であり、第１のガイド部２１、第２のガイド部２２、第３のガイド部２３により、ガイド領域３０を構成している。なお、水抜栓５０は、取付部７１が第３のガイド部２３に誘導された際に閉状態をロックし、取付部７１が第２のガイド部２２に誘導された際に閉状態と開状態とを切り替え、取付部７１が第１のガイド部２１に誘導された際に分岐部１２から取外し可能となる。
【００２２】
また、第１のガイド部２１の一方の周方向側（第２のガイド部２２側）には、堰部２５が形成されている。この堰部２５は、通常の状態では、取付部７１が第１のガイド部２１と第２のガイド部２２との間を移動することを阻止し、取付部７１に、第１のガイド部２１と第２のガイド部２２との間を移動させるための力（後に詳述するが、水抜栓５０を分岐部１２に対し周方向に回転させる力）が付与された際に、取付部７１が第１のガイド部２１と第２のガイド部２２との間を移動することを可能にする。また、堰部２５は、第１のガイド部２１側が低く、第２のガイド部２２側が高い傾斜面を有しており、取付部７１が、第１のガイド部２１から第２のガイド部２２へ移動する際に必要な力は、比較的小さく、第２のガイド部２２から第１のガイド部２１へ移動する際に必要な力は、比較的大きくなる。これにより、水抜栓５０を分岐部１２に取付ける作業は簡単に行え、水抜栓５０が分岐部１２から不意に外れる（取付部７１が取外し位置に移動する）ことを防止することができる。また、第１のガイド部２１は、凹部から形成されているため、第１のガイド部２１を移動する取付部７１は、第１のガイド部２１の基端に位置する側壁によって係止され、これ以上基端側に移動することが阻止される。すなわち、この側壁によって、取付部７１を係止する係止部２４が形成される。また、第１のガイド部２１を移動する取付部７１は、第１のガイド部２１の他方の周方向に位置する側壁と、堰部２５に当接し、水抜栓５０の挿脱方向に誘導される。
【００２３】
同様に、第２のガイド部２２は、凹部から形成されているため、取付部７１が先端側に移動しようとした際に、取付部７１は、第２のガイド部２２の先端に位置する側壁に係止され、これ以上先端側に移動することが阻止される。すなわち、この側壁によって、取付部７１を係止する係止部２６が形成される。また、取付部７１が基端側に移動しようとした際に、第２のガイド部２２の基端に位置する側壁に取付部７１が係止され、これ以上基端側に移動することが阻止される。すなわち、この側壁によって、取付部７１を係止する係止部２７が形成される。また、第２のガイド部２２を移動する取付部７１は、第２のガイド部２２の周方向に位置する各々の側壁に当接し水抜栓５０の挿脱方向に誘導される。
【００２４】
第２のガイド部２２と、第３のガイド部との間には、堰部３１が形成されている。この堰部３１は、通常の状態では、取付部７１が第２のガイド部２２と第３のガイド部２３との間を移動することを阻止し、取付部７１に、第２のガイド部２２と第３のガイド部２３との間を移動させるための力が付与された際に、取付部７１が第２のガイド部２２と第３のガイド部２３との間を移動することを可能にする。この堰部３１は凸状のリブから構成されている。
【００２５】
第３のガイド部２３は、凹部から形成されているため、取付部７１が先端側に移動しようとした際に、取付部７１は、第３のガイド部２３の先端に位置する側壁に係止され、これ以上先端側に移動することが阻止される。すなわち、この側壁によって、取付部７１を係止する係止部２８が形成される。また、取付部７１が基端側に移動しようとした際に、第３のガイド部２３の基端に位置する側壁に取付部７１が係止され、これ以上基端側に移動することが阻止される。すなわち、この側壁によって、取付部７１を係止する係止部２９が形成される。第３のガイド部２３を移動する取付部７１は、係止部２８及び２９に当接して分岐部１２の周方向に誘導される。また、第３のガイド部２３を他方の周方向に向けて移動する取付部７１は、第３のガイド部２３の他方の周方向に位置する側壁に係止され、この位置で移動が停止するようになっている。
【００２６】
なお、本実施の形態では、取付部７１の第１のガイド部２１と第２のガイド部２２との間の移動は、水抜栓５０を分岐部１２の周方向に約４５度回転させることにより可能となり、取付部７１の第２のガイド部２２と第３のガイド部２３との間の移動は、水抜栓５０を分岐部１２の周方向に約４５度回転させることにより可能となるようにした。また、本実施の形態では、後に詳述するが、２つの取付部７１が、互いに１８０度ずれた位置に設けられた水抜栓５０を使用しているため、ガイド領域３０は、各々の取付部７１に対応する位置（すなわち、互いに１８０度ずれた位置）に形成した。
【００２７】
水抜栓５０は、分岐部１２の挿入孔１３に挿脱可能に挿入される挿入部５１を有する栓本体６０と、当該栓本体６０に配設され、栓本体６０を分岐部１２に着脱可能に取付ける２つの取付部７１と、を備えて構成されている。
【００２８】
挿入部５１は、栓本体６０の挿入方向側の端部に形成され、小径孔１６に挿入された際に、小径孔１６の内周面１８に密着する密着部５２と、密着部５２の抜脱方向側に形成され、大径孔１７に挿入された際に、大径孔１７の内周面１９に接触した状態あるいはほぼ接触している状態となる排水部５４と、を有している。
【００２９】
密着部５２は、略円筒形を有し且つ中実である栓部６２と、栓部６２の外周面に配設されたＯリング５３を有しており、小径孔１６に密着部５２が挿入された際には、Ｏリング５３によって、小径孔１６の内周面１８と密着部５２の外周面との間が水密に保持されるようになっている。そして、水抜栓５０は、密着部５２が小径孔１６に挿入された際（図３参照）に閉状態となり、密着部５２が小径孔１６から抜取られた際（図６、図７参照）に開状態となる。
【００３０】
排水部５４は、中空の略円筒形を有し、その外周面には、複数の環状溝５６（本実施の形態では５本）が、互いに間隔をおいて形成されている。すなわち、排水部５４の環状溝５６が形成されている領域は、環状溝５６と、環状溝５６の両側に位置して環状溝５６を画定する（形成する）環状凸部６６との繰返しとなり、この繰返しによって、いわゆる「フィン形状」が形成される。この排水部５４の密着部５２が形成されている端面には、水口本体１０の排水流路から排出される液体を中空部５８に進入させるための孔５７が開口されている。この排水部５４の密着部５２が形成されている側とは反対側には、中空部５８に連通する中空部を有する略円筒形の円筒部５５が形成されており、排水部５４と円筒部５５との間には、フランジ６１が形成されている。そして、中空部５８に進入した液体は、円筒部５５の中空部を経て外部に排出される。なお、円筒部５５には、ホースや他の配管等を取付けることができる。
【００３１】
２つの取付部７１は、フランジ６１の外周面の互いに対向する位置から水抜栓５０の挿入方向に向けて、排水部５４の密着部５２が形成されている端面付近まで各々延出し、その延出端部の排水部５４と対向する面には、第１のガイド部２１、第２のガイド部２２、第３のガイド部２３に受領されて第１のガイド部２１、第２のガイド部２２、第３のガイド部２３を移動可能であり、係止部２４、２６、２７、２８及び２９に係止される係止爪７２が各々形成されている。この取付部７１は、前述した所定の力が付与されて堰部２５及び３１を通過する際に、外側に弾性変形し、堰部２５及び３１を越えるようになっている。
【００３２】
次に、本実施の形態にかかる水抜装置１の具体的動作について、図面を参照して説明する。
【００３３】
先ず、水口体１０に水抜栓５０を取付ける際は、図１１〜図１３に示すように、取付部７１の係止爪７２の位置が、第１のガイド部２１とほぼ同一直線上になるようにして、水抜栓５０の密着部５２を分岐部１２に形成された大径孔１７の先端に挿入する。次に、第１のガイド部２１に取付部７１の係止爪７２を入れ、水抜栓５０をさらに挿入する。この動作により、係止爪７２は、第１のガイド部２１に誘導されて挿入方向に移動して係止部２４に当接し、当該移動が停止される。（図８〜図１０参照）。次いで、この状態で、水抜栓５０を反時計回りに約４５度回転させると、係止爪７２が堰部２５を乗り越えて、係止爪７２は、第２のガイド部２２に移動する。（図４〜図６参照）。次に、水抜栓５０をさらに挿入すると、係止爪７２は、第２のガイド部２２に誘導されて挿入方向にさらに移動して係止部２７に当接し、当該移動が停止される。この時、密着部５２は、小径孔１６に挿入され、Ｏリング５３によって、小径孔１６の内周面１８と密着部５２の外周面との間が水密に保持され、水抜栓５０は閉状態となる。
【００３４】
次に、この状態で、水抜栓５０を時計回りに約４５度回転させると、係止爪７２が堰部３１を乗り越えて、係止爪７２が第３のガイド部２３に移動する。これにより、係止爪７２は、先端側への移動が係止部２８により阻止され、基端側への移動が係止部２９により阻止されて、密着部５２が小径孔１６から外れることが防止され、水抜栓５０の閉状態がロックされる。（図１〜図３参照）。この時、フランジ６１を分岐部１２の先端面に当接させてもよい。
【００３５】
次に、水抜栓５０を開いて、図示しない機器の配管から排出される液体を外部に排出する際は、ロック状態にある水抜栓５０（図１〜図３参照）を、反時計回りに約４５度回転させると、係止爪７２が堰部３１を乗り越えて、第３のガイド部２３から第２のガイド部２２に移動する。この状態で、水抜栓５０を先端方向に引くと、係止爪７２が第２のガイド部２２に誘導されて先端側に移動し、密着部５２が小径孔１６から抜取られ（図４〜図６参照）、水抜栓５０が開状態になる。水抜栓５０が開状態になると、特に図７に示すように、配管から排出される液体が小径孔１６から大径孔１７に流れ込み、孔５７を介して中空部５８に進入し、ここから外部に排出される。この時、小径孔１６から大径孔１７に流れ込んだ液体が、大径孔１７の内周面１９と、排水部５４の外周面との間に進入しようとするが、排水部５４の外周面には、複数の環状溝５６により形成された「フィン形状」が設けられているため、液体の進路が変更されて進入が阻止される。したがって、大径孔１７の内周面１９と、排水部５４の外周面との間にＯリング等のシール部材を配設することなく、前記液体を中空部５８に集中して流すことができる。また、係止爪７２は、係止部２６に係止されると共に、堰部２５によって第１のガイド部２１に不意に移動することが阻止されるため、水抜栓５０が開状態の際に、分岐部１２から外れることを防止することができる。
【００３６】
水抜栓５０を分岐部１２から取外す場合は、水抜栓５０が開状態に位置している時に水抜栓５０を反時計回りに約４５度回転させると、係止爪７２が堰部２５を乗り越えて、第２のガイド部２２から第１のガイド部２１に移動する。（図８〜図１０参照）。この時、水抜栓５０を反時計回りに回転させて、係止爪７２が堰部２５を乗り越えるためには、係止爪７２が堰部３１を乗り越えるために回転させる力や、係止爪７２を第１のガイド部２１から堰部２５を越えて第２のガイド部２２に移動させるために回転させる力よりも大きな力が必要となるようになっている。これによって、水抜栓５０が不意に取外し可能位置に移動してしまうことを防止でき、水抜装置１の信頼性を向上させることができる。次に、水抜栓５０を先端方向に引くと、係止爪７２が第１のガイド部２１に誘導されて先端側に移動し（図１１〜図１３参照）、係止爪７２が第１のガイド部２１の先端側から外れ、水抜栓５０が分岐部１２から取外される。
【００３７】
以上説明したように、水抜装置１は、水抜栓５０を分岐部１２に対し周方向に約４５度回転させる動作と、係止爪７２を第１のガイド部２１、第２のガイド部２２、第３のガイド部２３に沿って移動させるという簡単な動作、すなわち、ワンタッチで、水抜栓５０の開閉、閉状態のロック、水抜栓５０の取付け、取外しを行うことができ、作業性を大幅に改善することができる。また、従来のように、水口体１０の水抜栓５０が取付けられる位置（本実施の形態では分岐部１２）の内周面に、雌螺子を形成する必要がないため、加工性も向上することができる。
【００３８】
なお、本実施の形態では、２つの取付部７１を配設した場合について説明したが、これに限らず、取付部７１は少なくとも１つ配設すればよい。また、ガイド領域３０は、取付部７１の配設数に合わせた数で形成すればよいが、所望により、取付部７１の配設数よりも多く配設しておいてもよい。
【００３９】
また、本実施の形態では、水抜栓５０を分岐部１２に対し周方向に約４５度回転させる場合について説明したが、これに限らず、水抜栓５０の回転角度は、ガイド領域３０の形状や、取付部７１や分岐部１２のサイズ等により、任意に決定することができる。しかしながら、作業性等を考慮すると、水抜栓５０の回転角度は９０度以下であることが望ましい。
【図面の簡単な説明】
【００４０】
【図１】本発明の水抜装置の外観を示す側面図であり、前記水抜装置の構成要素である水抜栓が閉状態である場合を示す図である。
【図２】図１に示す水抜装置の底面図である。
【図３】図２に示すIII−III線に沿った断面図の上下を逆にして示す図である。
【図４】本発明の水抜装置の外観を示す側面図であり、前記水抜装置の構成要素である水抜栓が開状態である場合を示す図である。
【図５】図４に示す水抜装置の底面図である。
【図６】図５に示すVI−VI線に沿った断面図の上下を逆にして示す図である。
【図７】図６に示す水抜装置の一部を拡大して示す断面図である。
【図８】本発明の水抜装置の外観を示す側面図であり、前記水抜装置の構成要素である水抜栓が取外し可能位置にある場合を示す図である。
【図９】図８に示す水抜装置の底面図である。
【図１０】図９に示すＸ−Ｘ線に沿った断面図の上下を逆にして示す図である。
【図１１】本発明の水抜装置の外観を示す側面図であり、前記水抜装置の構成要素である水抜栓が取外される直前の状態を示す図である。
【図１２】図１１に示す水抜装置の底面図である。
【図１３】図１２に示すXIII−XIII線に沿った断面図である。
【図１４】図１１に示す水抜装置の一部を拡大して示す側面図である。
【符号の説明】
【００４１】
１…水抜装置、  １０…水口体、  １１…水口本体、  １２…分岐部、  ２１…第１のガイド部、  ２２…第２のガイド部、  ２３…第３のガイド部、  ２４、２６、２７、２８、２９…係止部、  ２５、３１…堰部、  ３０…ガイド領域、  ５０…水抜栓、  ５１…挿入部、  ５２…密着部、  ５４…排水部、  ５６…環状溝、  ６０…栓本体、  ７１…取付部
【図１】
2010084845.tif 000003
【図２】
2010084845.tif 000004
【図３】
2010084845.tif 000005
【図４】
2010084845.tif 000006
【図５】
2010084845.tif 000007
【図６】
2010084845.tif 000008
【図７】
2010084845.tif 000009
【図８】
2010084845.tif 000010
【図９】
2010084845.tif 000011
【図１０】
2010084845.tif 000012
【図１１】
2010084845.tif 000013
【図１２】
2010084845.tif 000014
【図１３】
2010084845.tif 000015
【図１４】
2010084845.tif 000016